(57)【要約】【課題】防御服、特に改良した手術着構成を提供する。【解決手段】前部部分、後部部分、及び袖を含む、手術着のような防御服。皮膚健康剤をこの前部部分、後部部分、及び袖の少なくとも１つの身体側内面上に堆積させ、また、それを袖口に設けることもできる。皮膚健康剤は、防御服の身体側内面との接触を通して着用者の皮膚に移される。【選択図】図１
2007514069.tif 000002
【特許請求の範囲】
【請求項１】
前部部分、後部部分、及び袖と、
前記前部部分、前記後部部分、及び前記袖のうちの少なくとも１つの身体側内面上に堆積させて該身体側内面との接触を通して着用者の皮膚に移される皮膚健康剤と、
を含むことを特徴とする防御服。
【請求項２】
前記身体側内面は、着用者の皮膚にほぼ連続的に接触する部分に対応していることを特徴とする請求項１に記載の防御服。
【請求項３】
前記防御服の前記部分は、形態適合部分を含むことを特徴とする請求項２に記載の防御服。
【請求項４】
前記形態適合部分は、前記袖の一部分を含むことを特徴とする請求項３に記載の防御服。
【請求項５】
前記袖の前記部分は、前記袖の端部と肘部分の間に形成された前腕部分であることを特徴とする請求項４に記載の防御服。
【請求項６】
前記袖は、防御服の前記肘部分と肩部分の間のゆったりした上腕部分を含むことを特徴とする請求項５に記載の防御服。
【請求項７】
前記袖は、上腕区域と袖の端部の袖口とを含み、
前記袖は、前記上腕区域の下に形成された形態適合区域を更に含み、該形態適合区域は、着用者の前腕に形態適合するための低減した外周を含み、かつ前記身体側内面を形成し、
前記皮膚健康剤は、前記形態適合区域の内側円周面上に堆積して該形態適合区域との接触を通して着用者の皮膚に移される、
ことを特徴とする請求項１に記載の防御服。
【請求項８】
前記上腕区域は、着用者上にゆったりと適合するような外周を含むことを特徴とする請求項７に記載の防御服。
【請求項９】
前記袖は、折り畳まれたブランク部材から形成され、該折り畳まれたブランク部材に沿って単一の継ぎ目を有することを特徴とする請求項１から請求項８のいずれか１項に記載の防御服。
【請求項１０】
前記袖は、折り畳まれたブランク部材から形成され、前記形態適合部分又は区域に沿った２つの継ぎ目を有することを特徴とする請求項３から請求項９のいずれか１項に記載の防御服。
【請求項１１】
前記皮膚健康剤は、前記上腕区域の下でかつ前記袖口を含む前記袖に付加されることを特徴とする請求項７から請求項１０のいずれか１項に記載の防御服。
【請求項１２】
前記袖の少なくとも前記形態適合部分又は区域は、エラストマー材料から形成されていることを特徴とする請求項４から請求項１１のいずれか１項に記載の防御服。
【請求項１３】
前記皮膚健康剤は、前記身体側内面上にほぼ均一なコーティングとして堆積されるか、又は該身体側内面上の個別の位置に堆積されることを特徴とする請求項１から請求項１２のいずれか１項に記載の防御服。
【請求項１４】
前記皮膚健康剤は、ローション製剤、皮膚軟化剤、ワックス、及び皮膚保護剤から成る群から選択された薬剤のいずれか１つ又はその組合せを含むことを特徴とする請求項１から請求項１３のいずれか１項に記載の防御服。
【請求項１５】
前記身体側内面は、着用者の身体の一部分にほぼ適合するエラストマー材料で形成されていることを特徴とする請求項１から請求項１４のいずれか１項に記載の防御服。
【請求項１６】
前記身体側内面は、前記袖の形態適合部分内に形成されていることを特徴とする請求項１５に記載の防御服。
【発明の詳細な説明】
【技術分野】
【０００１】
本発明は、一般的に防御服の分野に関し、より詳細には、手術着構成の改良に関する。
【背景技術】
【０００２】
手術着のような防御服は公知である。従来型の使い捨て手術着は、通常は不織布から構成されている。手術着本体区域は、一般的に、単体材料であり、又は互いに取付けられた材料のいくつかのパネルから成る。例えば、手術着は、前部パネルと手術着の後部区域も形成する取付けられた側部パネルとで形成することができる。袖は、あらゆる数の公知の技術によって手術着本体に取付けられる。単体の手術着本体に取付けられたラグラン袖を用いて作られた手術着の例は、米国ウイスコンシン州ニーナー所在のキンバリー・クラーク・コーポレーションから入手可能な「Ｌｉｇｈｔｗｅｉｇｈｔ  Ｇｏｗｎ」（製品コード９０７５１）である。
【０００３】
これらの手術着の有用性は、一般的に、通気性、流体の流れに対する耐性、障壁防御性能などのようないくつかの要素によって影響を受ける。残念ながら、ある一定の用途では、防御の観点からの手術着の望ましい特性は、多くの個人に対して皮膚炎及び不快症状をもたらす場合がある。これは、臨床医が手術着着用前の医療処置の準備中に苛酷な洗浄を受ける医療分野に特に当て嵌まるであろう。消毒剤、石鹸、及び他の洗浄剤は必要であるが、多くの個人の皮膚に対して厳しいものである。このような洗浄は、多くの個人の特に洗浄が最も激しい腕に対して乾燥して荒れた皮膚を残すことになる。手術着を着用した状態では、皮膚の不快感及び痒みを緩和することはできない。また、滅菌野を阻害しないために、洗浄後に腕に対してスキンコンディショニングローション又は薬剤を付加することは一般的に受け入れられない。
本発明は、上述のいくつかの欠点に対処し、手術着着用後に着用者の腕を皮膚健康剤で治療する改良型手術着を提供する。
【０００４】
【特許文献１】米国特許第４，９６５，１２２号
【特許文献２】米国特許第４，９８１，７４７号
【特許文献３】米国特許第５，２２６，９９２号
【特許文献４】米国特許第５，３３６，５４５号
【特許文献５】米国特許第４，７２０，４１５号
【特許文献６】米国特許第４，７８９，６９９号
【特許文献７】米国特許第４，７８１，９６６号
【特許文献８】米国特許第４，６５７，８０２号
【特許文献９】米国特許第４，６５５，７６０号
【特許文献１０】米国特許第４，３４０，５６３号
【特許文献１１】米国特許第３，６９２，６１８号
【特許文献１２】米国特許第３，３３８，９９２号
【特許文献１３】米国特許第３，３４１，３９４号
【特許文献１４】米国特許第３，２７６，９４４号
【特許文献１５】米国特許第３，５０２，５３８号
【特許文献１６】米国特許第３，５０２，７６３号
【特許文献１７】米国特許第３，５４２，６１５号
【特許文献１８】カナダ特許第８０３，７１４号
【特許文献１９】米国特許第３，８４９，２４１号
【特許文献２０】米国特許第５，４６４，６８８号
【発明の開示】
【０００５】
本発明の目的及び利点は、一部は以下の説明に示されることになり、又はその説明から明白である場合があり、又は本発明の実施を通して学ばれるであろう。
本発明は、前部部分と、後部部分と、袖とを有する防御服、特に手術着のための独特の構成に関する。手術着の一部分の身体側内面上に皮膚健康剤を堆積させる。皮膚健康剤は、身体側内面との接触を通じて着用者の皮膚に移され、薬剤の種類に応じて着用者に特定の利益をもたらすものである。皮膚健康剤は、手術着の各部分のいずれか１つ又はその組合せの内面上に準備することができる。例えば、この薬剤は、着用者の身体にほぼ適合する手術着の後部又は前部部分の内面上に設けることができる。
【０００６】
特定的な実施形態では、皮膚健康剤は、着用者の皮膚にほぼ連続的に接触する防御服の一部分に付加される。この部分は、着用者の皮膚に対してほぼぴったり合うという点で形態適合部分とすることができる。例えば、形態適合部分は、ゆったりした上腕部分の下に形成された前腕部分のような袖の一部分とすることができ、また、袖口を含むこともできる。
皮膚健康剤は、従来付加技術のいずれか１つ又はその組合せによって付加することができる。この薬剤は、手術着部分の身体側内面上のほぼ均一なコーティングとして堆積させることができ、又は代替的に、縞又は帯などのような個別の局所的堆積物として望ましい領域に付加することができる。
【０００７】
特定的な実施形態では、皮膚健康剤は、本発明の精神及び範囲内で広く変更することができるローション製剤とすることができる。皮膚健康利益を提供するために、及び疼痛、掻痒、肌荒れ、炎症、及び他の皮膚疾患を含む特定の皮膚疾患又は刺激状態に対処するか又は予防するために、様々な製剤が当業技術で公知であり用いられている。ローション製剤は、皮膚に対する手術着材料の摩損性を低減するために潤滑剤として働き、皮膚へ移された時に皮膚の状態を維持するのに役立つ少なくとも１つの皮膚軟化剤を含むことが望ましい場合がある。皮膚軟化剤は、例えば、油、エステル、グリセロールエステル、エーテル、アルコキシル化カルボン酸、アルコキシル化アルコール、脂肪アルコール、及びそれらの混合物から成る群から選択することができる。
【０００８】
ローション製剤はまた、例えば、動物性ワックス、植物性ワックス、鉱物性ワックス、シリコーンベースワックス、及びそれらの混合物から成る群から選択された少なくとも１つのワックスを含むことができ、その全ては、天然又は合成とすることができる。選択されたワックスは、天然、合成、又はその組合せとすることができる。
ローション製剤はまた、損傷したか又は露出した皮膚を有害又は刺激性の刺激物から守るために少なくとも１つの皮膚保護剤を含むことができる。
【０００９】
本発明は、医療業界で用いられる手術着に関して特定の有用性を有する。特定的な手術着実施形態では、手術着本体は、袖開口部を形成する前部及び後部部分を有する。折り畳まれたブランク材料部材から形成された袖は、ほぼ連続的な袖付けに沿って袖開口部に取付けられる。袖は、上腕区域、下方の前腕区域、及びその端部における袖口を有する。袖は、上腕区域と袖の前腕区域に対応する袖口との間に形成された形態適合区域を更に含むことができる。この区域は、比較的ゆったりしていると考えられる上腕区域に比較して、着用者の前腕にぴったりと適合するようにその外周が低減されている点で形態適合とすることができる。形態適合区域はまた、エラストマー材料から形成することができ、又は本質的に伸張性とすることができる。形態適合の袖区域は、エラストマー袖口を含むことができる。
本発明を図に示す手術着の実施形態を参照して以下に説明する。
本発明の完全かつ実施可能な開示内容は、当業者のためのその最良の態様を含め、添付図面を参照する本明細書の残りの部分により具体的に示されている。
【発明を実施するための最良の形態】
【００１０】
ここで、実施例が図面に図式的に示されている本発明の１つ又はそれよりも多くの実施形態を以下に詳細に参照する。各実施例及び実施形態は、本発明の説明のために示すものであり、本発明の限定を意味していない。例えば、一実施形態の一部として示すか又は説明する特徴は、別の実施形態と共に用いて更に別の実施形態をもたらすことができる。本発明は、これら及び他の修正及び変形を含むものとする。
【００１１】
「取付けられた」は、２つの要素の結合、接合、接着、接続、又は取付けなどを意味する。２つの要素は、それらが互いに直接に結合されるか、又は各々が中間要素に直接に取付けられる時のように互いに間接に結合される時に互いに取付けられたと見なすことができる。
「エラストマー性」は、その弛緩長さの少なくとも２５％だけ伸張するか又は伸長することができ、かつ加えられた力を解放するとその伸長の少なくとも１０％を回復することになる材料又は複合体を意味する。エラストマー材料又は複合体は、少なくとも１００％だけ伸長することができ、その伸長の少なくとも５０％を回復することが一般的に好ましい。エラストマー材料は、従って延伸可能であり、「延伸可能」及び「エラストマー性」は、交換可能に用いることができる。
「弾性の」又は「弾性を持たせた」は、変形を起こす力を除去した後にその元の大きさ及び形状に向けて回復する傾向がある材料又は複合体の性質を意味する。
【００１２】
「ネック結合」積層体は、非弾性部材に結合された弾性部材を有する複合材料を意味するが、この非弾性部材は、機械方向に伸張し、横方向又は交差方向に弾性であるネック付け材料を生成する。ネック結合積層体の例は、本明細書において全ての目的に対してその全内容が引用により組み込まれている、米国特許第４，９６５，１２２号、第４，９８１，７４７号、第５，２２６，９９２号、及び第５，３３６，５４５号に開示されている。
【００１３】
「延伸結合」積層体は、一方の層がギャザー寄せ可能層であり、他方の層が弾性層である少なくとも２つの層を有する複合材料を意味する。これらの層は、層を弛緩させた時にギャザー寄せ可能層にギャザーが寄るように、弾性層が伸張状態の時に互いに接合される。例えば、１つの弾性部材は、別の部材にその弾性部材がその弛緩長さの少なくとも約２５％伸張されている間に結合することができる。このような多層複合弾性材料は、非弾性層が完全に伸張されるまで延伸させることができる。延伸結合積層体の例は、例えば、本明細書において全ての目的に対してその全内容が引用により組み込まれている、米国特許第４，７２０，４１５号、第４，７８９，６９９号、第４，７８１，９６６号、第４，６５７，８０２号、及び第４，６５５，７６０号に開示されている。
【００１４】
本明細書で用いられるように、「不織ウェブ」という用語は、交錯しているが識別可能な繰返し方法に依らない個々の繊維又はフィラメントの構造を有するウェブを意味する。不織ウェブは、従来的には、例えば、メルトブロー及びメルトスピン工程、スパンボンド工程、及びボンデッドカーデッドウェブ工程のような当業者に公知の様々な工程で形成されている。
本明細書で用いられるように、「スパンボンドウェブ」という用語は、溶融熱可塑性材料を紡糸口金の複数の細かい通常円形の毛細管からフィラメントとして押し出し、次に、押し出されたフィラメントの直径を例えば非抽出又は抽出流体引抜き又は他の公知のスパンボンド機構によって急速に縮小することによって形成される小直径の繊維及び／又はフィラメントのウェブを意味する。スパンボンド不織ウェブの製造は、アッペル他に付与された米国特許第４，３４０，５６３号、ドーシュナー他に付与された米国特許第３，６９２，６１８号、キニーに付与された米国特許第３，３３８，９９２号及び第３，３４１，３９４号、レビーに付与された米国特許第３，２７６，９４４号、ピーターソンに付与された米国特許第３，５０２，５３８号、ハートマンに付与された米国特許第３，５０２，７６３号、ドボ他に付与された米国特許第３，５４２，６１５号、及びハーマンに付与されたカナダ特許第８０３，７１４号のような特許に示されている。
【００１５】
本明細書で用いられるように、「メルトブローンウェブ」という用語は、複数の細かい通常は円形のダイ毛細管を通して、溶融熱可塑性材料を収束する高速気体（例えば、空気）流の中へ溶融繊維として押し出し、その気体流が溶融熱可塑性材料の繊維を縮小してその直径をミクロ繊維の直径までにも減少させることによって形成された不織ウェブを意味する。その後、メルトブローン繊維は、高速気体流により運ばれて集積面に堆積し、ランダムに分散したメルトブローン繊維のウェブを形成する。このような工程は、例えば、本明細書において全ての目的のためにその全内容が引用により組み込まれているブチン他に付与された米国特許第３，８４９，２４１号に開示されている。一般的に、メルトブローン繊維は、連続的又は非連続的とすることができるミクロ繊維とすることができ、一般的に直径が１０ミクロンよりも小さく、集積面上に堆積した時に一般的に粘着性である。
【００１６】
本明細書で用いられるように、「使い捨て可能」という用語は、１回使用又は限定使用の物品に限定されないだけでなく、消費者にとって非常に廉価であるので、単に１回又は数回の使用の後にそれらが汚れるか又はその他の方法で使用不能になった場合に廃棄することができる物品も意味する。
本明細書で用いられるように、「衣類」という用語は、例えば、以下に限定されるものではないが、手術着、患者用ドレープ、作業服、及びエプロンなどを含む防御服及び／又は防御物を意味する。
【００１７】
本明細書で用いられるように、「液体抵抗性」又は、「液体反発性」という用語は、以下の例外を有する標準静水圧試験「ＡＡＴＣＣＴＭ」第１２７−１９７７号に従って判断される時に少なくとも約２５センチメートルの水圧ヘッドを有する材料を意味する：（１）サンプルを様々な延伸条件（例えば、１０％、２０％、３０％、４０％延伸）の下で試験することができるように、サンプルは、通常よりも大きく、サンプルの機械交差方向端部上でクランプ締めする延伸フレーム内に取付けられており、（２）サンプルは、水柱の重量の下でサンプルが垂れ下がるのを防ぐために金網によって下を支持されている。
【００１８】
本明細書で用いられるように、「通気性」という用語は、水蒸気及び気体に対する透過性を意味する。例えば、「通気性障壁」及び「通気性フィルム」は、水蒸気がそれを通過することを許すが、液体には抵抗性である。材料の「通気性」は、水蒸気透過率（ＷＶＴＲ）を用いて測定され、より高い値が通気性の高い材料を示し、より低い値が通気性の低い材料を示す。通気性材料は、一般的に、約２５０グラム／平方メートル／２４時間（ｇ／ｍ2／２４時間）よりも大きいＷＶＴＲを有する。一部の実施形態では、ＷＶＴＲは、約１０００ｇ／ｍ2／２４時間よりも大きい場合がある。更に、一部の実施形態では、ＷＶＴＲは、約３０００ｇ／ｍ2／２４時間よりも大きい場合がある。一部の実施形態では、ＷＶＴＲは、約５０００ｇ／ｍ2／２４時間よりも大きいとすることができる。
【００１９】
本明細書で用いられるように、「可逆的ネック付け材料」という用語は、材料にメモリを付与するためにネックされている間に処理され、そのために、材料をそのネック前寸法まで伸張するように力を印加した時にネック付けされて処理された部分が、力がなくなるとそのネック付け寸法までほぼ回復することになるネック付け材料を意味する。可逆的ネック付け材料は、１つよりも多い層、例えば、スパンボンドウェブの複数の層、メルトブローンウェブの複数の層、ボンデッドカーデッドウェブの複数の層、又はそれらの混合物のあらゆる他の適切な組合せを含むことができる。可逆的ネック付け材料の製造は、例えば、モルモンに付与された米国特許第４，９６５，１２２号及び第４，９８１，７４７号のような特許に示されている。
【００２０】
本発明は、防御服のための独特の構成に関する。防御服は、ここでは例示を目的として手術着として示して説明する。しかし、本発明による衣類は、手術着に限定されず、例えば、患者用長上着又はドレープ、作業つなぎ服、化粧着などを含むことができることを認めるべきである。
従来型手術着１０を図１及び図２に概念的に示す。手術着は、前部部分１４と後部部分１６とを有する手術着本体１２を含む。手術着本体は、単体の材料から形成することができ、又は継ぎ目で接合した材料の別々のパネルによって形成することもできる。例えば、前部部分は、第１のパネルとすることができ、後部部分は、縦方向わき縫い１５に沿って前部パネル部分１４に取付けられた別々のパネル１６ａ及び１６ｂから形成することができる。
【００２１】
袖２２は、一般的に、本体１２に形成された袖開口部１８において手術着本体１２に取付けられる。袖２２は、それらの端部においてあらゆる方式の公知のエラストマー袖口２８を含むことができる。袖２２は、本体１２と同じか又は異なる材料のブランク材料部材から形成することができ、ほぼ連続的な袖付け２４に沿って開口部１８に別々に取付けることができる。手術着１０を着用者上に固定するために、従来型の紐２０のようなあらゆる種類の公知の締結手段を使用することができる。手術着１０の様々な構成は当業者に公知であり、全てのこのような構成は、本発明の範囲及び精神の範囲内である。
【００２２】
手術着本体１２は、通気性であるが液体抵抗性の障壁材料である材料で形成されるのが望ましい。材料の通気性は、このような衣類を着用する人間の快適性を、特に高い熱指数条件、激しい肉体活動、又は長期間の下で衣類を着用する場合に増大させるものである。様々な適切な織及び不織障壁材料は、手術着のような衣類に関して当業技術で公知でありかつ用いられており、全てのこのような材料は、本発明の範囲内である。適切な手術着材料は、例えば、液体反発性及び静電気減衰を高めるために適切な化学処理を施した、本明細書において全ての目的に対して引用により組み込まれている米国特許第５，４６４，６８８号に説明されているような「スパンボンド−メルトブローン−スパンボンド」積層体である。
【００２３】
手術着１０は、手術着の一部分の身体側内面３５上の区域３６に堆積した皮膚健康剤３４を含む。皮膚健康剤３４は、身体側内面３５との接触を通じて着用者の皮膚に移されて、着用者に薬剤の種類に応じて特定の利益をもたらすものである。適切な皮膚健康剤３４は、以下に詳細に説明する。皮膚健康剤３４は、手術着の各部分のいずれか１つ又はその組合せの身体側内面３５上に設けることができる。例えば、図１及び図２の実施形態では、薬剤３４は、前部手術着部分１４の身体側内面３５上の所定の区域３６に堆積する。区域３６はまた、後部部分１６の片側又は両側に形成することができる。皮膚健康剤３４の区域３６は、薬剤３４が着用者の皮膚とのほぼ連続的な接触を通じて着用者に容易に移される手術着のどの部分の身体側表面３５上にも設けることができることを認めるべきである。この部分は、着用者の皮膚にほぼぴったり合っているという点で形態適合部分３２とすることができる。
【００２４】
特定的な実施形態では、形態適合部分３２は、ゆったりした上腕部分２６と袖口２８との間に形成された下方又は前腕部分３０のような袖２２の一部分であり、又は袖口２８を含むこともできる。図１に表すように、皮膚健康剤３４の区域３６は、袖２２の肘部分と手首部分のほぼ中間の袖２２の身体側内面３５上に設けられる。皮膚健康剤３４はまた、袖口２８の身体側内面上に準備することもできる。
【００２５】
図３Ａ〜図３Ｃは、本発明による手術着１０に特に有用な袖の実施形態を示している。各袖２２は、ブランク材料部材４２から別々に形成される。材料部材４２は、以下に詳細に説明するようにエラストマー材料とすることができる。材料部材４２は、折り畳まれた状態で完全な袖２２を形成するように切断される。袖２２は、次に、手術着本体１２の袖開口部１８に取付けられる。ブランク材料部材４２は、袖開口部縁部５０ａ及び５０ｂと、折り畳まれた袖２２の上腕区域２６を形成する横側縁５３ａ及び５３ｂとを含む。横縁部４４ａ及び４４ｂは、折り畳まれた袖２２の外周低減前腕区域３０を形成する。傾斜した側縁４８ａ及び４８ｂは、上腕区域２６と前腕区域３０の間の移行帯を形成する。
【００２６】
図３Ａ及び図３Ｂは、前腕区域３０の身体側内面３５に付加された皮膚健康剤３４を示している。この薬剤はまた、上腕区域２６と前腕区域３０の間の移行帯の一部にも付加することができる。
図３Ｂは、ブランク材料部材４２が折り畳まれた後で、いずれかの適切な密封技術によって縁部４４ａ／４４ｂ、４８ａ／４８ｂ、及び５３ａ／５３ｂがほぼ連続的な単一の継ぎ目５２に沿って塞がれた状態を示している。エラストマー袖口２８は、次に、縦方向端部４６に取付けられ、その身体側表面に付加された皮膚健康剤を含むこともできる。この実施形態では、袖は、単一の線に沿って折り畳まれて単一の連続継ぎ目５２に沿って塞がれる。
【００２７】
図３Ｃは、折り畳まれて縫い合わされた袖２２が、皮膚健康剤が袖２２の内側に配置されるように反転された後の状態を示している。袖２２は、次に、当業技術で理解されているように、手術着本体内の袖開口部１８に取付けられる。
図４Ａ〜図４Ｃは、代替的な袖実施形態を示している。図４Ａを参照すると、ブランク材料部材４２の前腕区域３０は、前腕区域３０が第１の継ぎ目５２及び第２の継ぎ目５４に沿って図４Ｂに示すように接合された２つの別々の延長部分によって形成されるように、外側横縁部４４ａ及び４４ｂ、及び反対側の内側横縁部４４ｃ及び４４ｄによって形成される。図４Ｂは、身体側内面３５に付加された皮膚健康剤３４を示し、図４Ｃは、反転された後で手術着本体１２内の袖開口部１８に取付ける前の袖２２を示している。
【００２８】
皮膚健康剤３４は、従来の付加技術のいずれか１つ又はその組合せによって付加することができる。例えば、皮膚健康剤３４は、手術着材料上に吹き付けるか又はスロットコーティングすることができる。他の方法は、グラビア又はフレキソ印刷技術を含む。薬剤は、図１の区域３６の吹き付けパターンによって図式的に示すように、手術着部分の身体側内面３５上のほぼ均一なコーティングとして堆積させることができる。代替的に、薬剤３４は、図３Ａ及び図４Ａに示すように、縞又は帯４０のような個別の局所的堆積物として望ましい領域に付加することができる。
【００２９】
皮膚健康剤を含有する手術着１２の部分は、様々な方法で形態適合にすることができる。例えば、薬剤３４が袖２２の身体側表面３５上に堆積される実施形態を参照すると、形態適合部分３２は、比較的ゆったりしていると考えられる上腕区域２６に比較して着用者の前腕にぴったりと適合するように、図３Ａ〜図３Ｃ及び図４Ａ〜図４Ｃに関して上述したような単に袖２２の外周低減長さとすることができる。袖材料は、袖２２を袖付を裂くことなく容易に着用することができるように、ある程度の固有の伸張性を有することができる。
【００３０】
代替的な実施形態では、形態適合区域３２は、エラストマー材料から形成され、例えば袖口２８を含むことができる。例えば、袖材料は、全体的にエラストマー性とすることができ、又は形態適合区域３２のみをエラストマー性とすることができる。エラストマー材料は、それが容易に着用者の身体に適合することになり、かつ容易に着用することができるという点で望ましいであろう。形態適合区域３２に用いることができる様々なエラストマー材料は当業技術で公知である。区域３２は、例えば、エラストマー材料又はポリマー材料から成る単層、多層、積層体、スパンボンド布、フィルム、メルトブローン布、弾性網、微小孔ウェブ、ボンデッドカーデッドウェブ、又は発泡体から構成することができる。エラストマー性不織積層体ウェブは、１つ又はそれよりも多くのギャザー寄せ可能不織ウェブ、フィルム、又は発泡体に接合した不織材料を含むことができる。延伸結合積層体（ＳＢＬ）及びネック結合積層体（ＮＢＬ）は、エラストマー性不織積層体ウェブの例である。不織布は、識別可能な繰返し方式で織り合わされた個々の繊維構造を生成する織物工程を使用せずに形成された材料のいずれかのウェブである。適切な材料の例は、「スパンボンド−メルトブローン」布、「スパンボンド−メルトブローン−スパンボンド」布、「スパンボンド」布、又はこのような布とフィルム、発泡体、又は他の不織ウェブとの積層体である。エラストマー材料は、ポリエチレン、ポリプロピレン、又はポリオレフィンコポリマー、並びにその組合せから成るキャスト又はブローンフィルム、発泡体、又はメルトブローン布を含むことができる。エラストマー材料は、「ＰＥＢＡＸ（登録商標）」エラストマー（米国ペンシルベニア州フィラデルフィア所在の「ＡｔｏＣｈｅｍ」から入手可能）、熱可塑性ポリウレタン（例えば、脂肪族ポリエーテル及び脂肪族ポリエステル型の両方）、「ＨＹＴＲＥＬ（登録商標）」エラストマー性コポリエステル（米国デラウェア州ウィルミントン所在の「Ｅ．Ｉ．ＤｕＰｏｎｔ  ｄｅ  Ｎｅｍｏｕｒｓ」から入手可能）、「ＫＲＡＴＯＮ（登録商標）」エラストマー（米国テキサス州ヒューストン所在の「Ｓｈｅｌｌ  Ｃｈｅｍｉｃａｌ  Ｃｏｍｐａｎｙ」から入手可能）、又は「ＬＹＣＲＡ（登録商標）」エラストマーのストランド（米国デラウェア州ウィルミントン所在の「Ｅ．Ｉ．ＤｕＰｏｎｔ  ｄｅ  Ｎｅｍｏｕｒｓ」から入手可能）など、並びにその組合せのようなポリエーテルブロックアミドを含むことができる。形態適合区域３２は、機械的工程、印刷工程、加熱工程、又は化学処理を通してエラストマー性特性を有する材料を含むことができる。例えば、このような材料は、穿孔、縮み、ネック延伸、熱活性化、エンボス加工、及び微小歪みを与えることができ、かつフィルム、ウェブ、及び積層体の形態にすることができる。
【００３１】
特定的な実施形態では、皮膚健康剤３４は、本発明の範囲及び精神の範囲内で広く変更することができるローション製剤とすることができる。皮膚健康利益をもたらすために、かつ疼痛、掻痒、肌荒れ、炎症、及び他の皮膚疾患を含む特定の皮膚疾患又は刺激状態に対処するか又は予防するために、様々な製剤が当業技術で公知であり、かつ用いられている。ローションの量は、本発明の範囲内で広く変更することができる。例えば、ローション製剤は、手術着材料の重量の約０．５％〜約５０％の間の付加重量で存在することが望ましいであろう。本発明の要件というわけではないが、ローション製剤は、実質的に室温で固体とすることができ、従って、処理中に手術着材料中に浸透して入り込む傾向を低下させ、保存温度を上げている。ローション製剤は、望ましい皮膚健康利益をもたらすために、それが接触して着用者の皮膚に移行することができる身体側内面３５上に実質的に留まることが望ましい。
【００３２】
ローション堆積物は、全体皮膚健康処理剤に加えて、手術着材料に均一に付加することができる。例えば、手術着材料は、皮膚健康添加剤を含む界面活性剤で処理することができ、又は皮膚健康添加剤は、付加的な処理において付加することができる。ローション製剤に関して本明細書で説明する皮膚健康添加剤のいずれも、材料に対する別々の全体処理剤として付加することができる。
本発明は、いかなる特定のローション製剤にも限定されない。ローション製剤は、皮膚軟化剤のあらゆる組合せを含むことができ、また、１つ又はそれよりも多くのワックスを含むこともできる。また、粘性増強剤を含めることもできる。ローション製剤は、他の成分も同様に含むことができる。
【００３３】
皮膚軟化剤は、着用者の皮膚に対する手術着材料の摩損性を低減するための潤滑剤として作用し、皮膚に移された時に皮膚の柔らかくて滑らかでしなやかな外観を維持するのを助けることが望ましいと考えられる。ローション製剤内に組み込むことができる適切な皮膚軟化剤は、石油性オイル、植物性オイル、鉱物オイル、天然又は合成オイル、シリコーンオイル、ラノリン及びラノリン誘導体、及びカオリン及びカオリン誘導体など、並びにそれらの混合物のようなオイルと、セチルパルミテート、ステアリルパルミテート、セチルステアレート、イソプロピルラウレート、イソプロピルミリステート、及びイソプロピルパルミテートなど、並びにそれらの混合物のようなエステルと、グリセロールエステルと、オイカルピトール、セテアリルグルコシド、ジメチルイソソルビシドポリグリセリル−３セチルエーテル、ポリグリセリル−３デシルテトラデカノール、及びプロピレングリコールミリスチルエーテルなど、並びにそれらの混合物のようなエーテルと、アルコキシル化カルボン酸と、アルコキシル化アルコールと、オクチルドデカノール、ラウリル、ミリスチル、セチル、及びステアリル及びベヘニルアルコールなど、並びにそれらの混合物のような脂肪アルコールと、これらの類似物並びにその混合物とを含む。例えば、特に良好に適する皮膚軟化剤は、ペトロラタムである。他の従来の皮膚軟化剤も、本明細書に示すローション製剤の望ましい特性を維持する方法で追加することができる。
安定性及び着用者の皮膚への移行の向上をもたらすために、ローション製剤は、約５重量％〜約９５重量％、望ましくは約２０重量％〜約７５重量％、より望ましくは約４０重量％〜約６０重量％の皮膚軟化剤を含むことができる。
【００３４】
ローション製剤は、主として皮膚軟化剤及びあらゆる活性成分のための固定剤として機能するワックスを含むことができる。皮膚軟化剤の固定及びその移動し易い傾向の低減に加えて、ローション製剤中のワックスは、着用者の皮膚への移行を向上させるローション製剤に対する粘着性をもたらすものである。ワックスの存在はまた、ローションが着用者の皮膚上に実際に擦れて落ちる代わりに砕けるか又は剥がれる傾向があり、これが皮膚への移行の向上をもたらすことができるという点で移行の様態を変更する。ワックスは、更に、皮膚軟化剤、閉塞剤、保湿剤、障壁促進剤、及びその組合せとして機能することができる。
【００３５】
ローション製剤中に組み込むことができる適切なワックスは、天然又は合成とすることができる動物性、植物性、鉱物性、又はシリコーンベースのワックスを含み、これらは、例えば、ヤマモモワックス、ミツロウ、Ｃ３０アルキルジメチコーン、カンデリラろう、カルナバ、セレシン、セチルエステル、アフリカハネガヤ、水素化綿実油、水素化ホホバ油、水素化ホホバワックス、水素化マイクロクリスタリンワックス、水素化米ぬかワックス、日本ろう、ホホババター、ホホバエステル、ホホバワックス、ラノリンワックス、マイクロクリスタリンワックス、ミンクワックス、モタン酸ワックス、モタンワックス、「ｏｕｒｉｃｕｒｙ」ワックス、地ろう、パラフィン、「ＰＥＧ−６」ミツロウ、「ＰＥＧ−８」ミツロウ、レゾワックス、米ぬかワックス、シェラックワックス、スペントグレインワックス、鯨ろう、ステリルジメチコーン、合成ミツロウ、合成カンデリラろう、合成カルナバワックス、合成日本ろう、合成ホホバワックス、合成ワックス、及びこれらの類似物、並びにその組合せなどである。例えば、特に良好に適するワックスは、約７０重量％のセレシンろう、約１０重量％のマイクロクリスタリンワックス、約１０重量％のパラフィンろう、及び約１０重量％のセチルエステル（合成鯨ろう）を含む。
【００３６】
着用者の皮膚への移行の向上をもたらすために、ローション製剤は、約５重量％〜約９５重量％、望ましくは約２５重量％〜約７５重量％、より望ましくは約４０重量％〜約６０重量％のワックスを含むことができる。列挙した量よりも少ない量のワックスを含むローション製剤は、低粘性を有する傾向があり、これは、ローションの移動をもたらすので望ましくない。一方、列挙した量よりも多い量のワックスを含むローション製剤は、着用者の皮膚への移行が少なくなる傾向がある。
【００３７】
粘性増強剤をローション製剤に添加して粘性を増大し、手術着材料の身体側表面３５上の製剤の安定化を助け、それによってローションの移動を低減して皮膚への移行を向上させることができる。望ましくは、粘性増強剤は、ローション製剤の粘性を少なくとも約５０％、より望ましくは少なくとも約１００％、更に望ましくは少なくとも約５００％、更に望ましくは少なくとも約１０００％、更に望ましくは少なくとも約５０００％だけ増大する。ローション製剤内に組み込むことができる適切な粘性増強剤は、ポリオレフィン樹脂、親油性／オイル増粘剤、エチレン／ビニルアセテートコポリマー、ポリエチレン、シリカ、タルク、コロイド状シリコーン二酸化物、ステアリン酸亜鉛、セチルヒドロキシエチルセルロース及び他の修飾セルロース、及びこれらの類似物、並びにこれらの混合物を含む。例えば、特に良好に適する粘性増強剤は、米国デラウェア州ウィルミントン所在の「Ｅ．Ｉ．ＤｕＰｏｎｔ  Ｄｅ  Ｎｅ  Ｍｏｕｒｓ」から「ＥＬＶＡＸ」の商標名の下で市販されているエチレン／ビニルアセテートコポリマーである。
【００３８】
着用者の皮膚への移行の向上をもたらすために、ローション製剤は、移動を低減して着用者の皮膚への移行を向上させるために、約０．１〜約２５重量％、望ましくは約５〜約２０重量％、より望ましくは約１０〜約１５重量％の粘性増強剤を含むことができる。
ローション製剤が皮膚を治療することが望ましい場合に、それはまた、皮膚保護剤のような活性成分を含むこともできる。皮膚保護剤は、損傷又は露出した皮膚又は粘膜表面を有害又は刺激性物質から守る薬物製品とすることができる。ローション製剤に組み込むことができる適切な活性成分は、適切な皮膚軟化剤として上述したものに加えて、以下に限定されるものではないが、アラントイン及びその誘導体、水酸化アルミニウムゲル、カラミン、ココアバター、ジメチコーン、肝油、グリセリン、カオリン及びその誘導体、ラノリン及びその誘導体、鉱油、サメ肝油、タルク、トピカルスターチ、酢酸亜鉛、炭酸亜鉛、及び酸化亜鉛など、並びにそれらの混合物を含む。ローション製剤は、皮膚保護剤と皮膚に移される望ましい量とに応じて、約０．１０〜約９５重量％の活性成分を含むことができる。
【００３９】
着用者に対する利益を更に高めるために、本発明のローション製剤に付加的な成分を含めることができる。例えば、用いることができる成分の部類及びその対応する利益は、以下に限定されるものではないが、消泡剤（処理中の泡立ち傾向を軽減する）、抗菌活性剤、抗真菌活性剤、殺菌活性剤、抗酸化剤（製品一体性）、アストリンゼン−化粧品（皮膚に対する締め付け感又はヒリヒリ感を誘発する）、アストリンゼン−薬剤（皮膚又は粘膜に付加した時に浸出、排出、又は出血を阻止し、凝固蛋白によって作用する薬物製品）、生物学的添加剤（製品の性能又は購買魅力を高める）、着色剤（製品に色を付与する）、体臭防止剤（不快な臭いを軽減又は除去し、身体表面に対する悪臭の形成を防止する）、他の皮膚軟化剤（皮膚面上又は角質層内に残って潤滑剤として作用し、剥がれを軽減して皮膚の外観を改善するその機能により、柔らかくて滑らかでしなやかな皮膚の外観を維持することを助ける）、外用鎮痛剤（皮膚感覚受容体を抑制することによって局所鎮痛効果、麻酔効果、又は鎮痒効果を有し、又は皮膚感覚受容体を刺激することによって局所逆刺激効果を有する局所適用薬剤）、被膜剤（乾燥すると皮膚上に連続膜を生成することによって皮膚上の活性成分を保持する）、香料（購買魅力）、シリコーン／有機修飾シリコーン（防御、組織耐水性、潤滑性、組織柔軟性）、オイル（鉱物、植物、及び動物性）、天然保湿剤（ＮＭＦ）及び当業技術で公知の他の皮膚保湿成分、乳白剤（製品の透明度又は透明な外観を低下させる）、粉末（潤滑性や油吸着性を高め、皮膚防御、収斂性、不透明性などをもたらす）、スキンコンディショナー、溶媒（化粧品又は薬剤に有用であることが分かった成分を溶解するために用いる液体）、及び界面活性剤（洗浄剤、乳化剤、溶解補助剤、及び懸濁化剤として）を含む。
当業者は、本発明による防御服が広い用途を有し、本明細書に示した実施例及び実施形態が単に例示的であることを認めるべきである。本発明は、そのような用途及び実施形態を特許請求の範囲及び精神に該当するものとして含むものとする。
【図面の簡単な説明】
【００４０】
【図１】本発明による防御服、特に手術着の斜視及び部分背面図である。
【図２】図１に示す手術着の正面斜視図である。
【図３Ａ】本発明により衣類に次に取付けるための袖として形成されているブランク材料部材を示す図である。
【図３Ｂ】本発明により衣類に次に取付けるための袖として形成されているブランク材料部材を示す図である。
【図３Ｃ】本発明により衣類に次に取付けるための袖として形成されているブランク材料部材を示す図である。
【図４Ａ】本発明により衣類に次に取付けるための代替的な袖実施形態として形成されているブランク材料部材を示す図である。
【図４Ｂ】本発明により衣類に次に取付けるための代替的な袖実施形態として形成されているブランク材料部材を示す図である。
【図４Ｃ】本発明により衣類に次に取付けるための代替的な袖実施形態として形成されているブランク材料部材を示す図である。
【符号の説明】
【００４１】
１０  従来型手術着
１２  後部部分
１６  手術着本体
１８  袖開口部
２２  袖
２８  エラストマー袖口
【図１】
2007514069.tif 000003
【図２】
2007514069.tif 000004
【図３Ａ】
2007514069.tif 000005
【図３Ｂ】
2007514069.tif 000006
【図３Ｃ】
2007514069.tif 000007
【図４Ａ】
2007514069.tif 000008
【図４Ｂ】
2007514069.tif 000009
【図４Ｃ】
2007514069.tif 000010
【国際調査報告】
2007514069.tif 000011
2007514069.tif 000012
2007514069.tif 000013